(57)【要約】【課題】カラーや白黒またはセピアを選択した場合に対応して、彩度の設定を禁止または無効とすることにより、より判り易い操作性を備え、同時に撮影者の意図と違う絵の撮影を防止できるディジタルカメラを提供する。【解決手段】撮影モードに切り替えられている場合、メニューボタンを押すことにより、メニュー画面がＬＣＤモニタ６に表示される。セレクトボタン４を操作することにより、カラーモードについて白黒を選択した場合、システムコントローラ２５の彩度設定選択不能表示制御部２５ａは彩度設定の選択操作をしないようにモニタ６上のアイコンに表示する。【選択図】  図２
2004165802.tif 000002
【特許請求の範囲】
【請求項１】
カラーモードとしてカラーの他に白黒またはセピアを選択できるカラーモード選択手段及び彩度の設定を選択できる彩度設定手段とを有するディジタルカメラにおいて、
撮影時に前記カラーモード選択手段で白黒またはセピアが選択された場合には、前記彩度設定手段による彩度の設定を選択不能と表示する表示手段を有することを特徴とするディジタルカメラ。
【請求項２】
彩度の設定を選択不能と表示する場合、前記表示手段はモニタ画面に前記彩度の設定を表示するアイコンの表示形態を変えて表示することを特徴とする請求項１記載のディジタルカメラ。
【請求項３】
カラーモードとしてカラーの他に白黒またはセピアを選択できるカラーモード選択手段及び彩度の設定を選択できる彩度設定手段とを有するディジタルカメラにおいて、
撮影時に前記彩度設定手段により彩度の設定を変更する状態に選択されていても、前記カラーモード選択手段で白黒またはセピアが選択された場合には、彩度の変更をしない標準状態に戻す制御手段を有することを特徴とするディジタルカメラ。
【発明の詳細な説明】
【０００１】
【発明の属する技術分野】
本発明は、カラーモードとしてカラーの他に白黒やセピアを選択できるとともに、彩度の設定も可能なディジタルカメラに関する。
【０００２】
【従来の技術】
従来のディジタルカメラにおいては、その特質からカラーモードとして白黒やセピアを選択できるモードを持つものや、色の鮮やかさの度合いすなわち彩度を変更する彩度設定モードを有するカメラがある。
【０００３】
【発明が解決しようとする課題】
そのため、例えば、カラーモード選択手段と彩度設定手段をそれぞれ独立に有するディジタルカメラにおいて、カメラカラーモードを白黒に設定して彩度の設定の変更を行った場合、白黒では色が無いために、彩度の変更は意味をなさなくなる。また、セピアの場合にも色が単色であるため、彩度の変更は意味をなさなくなる。しかしながら、一般的に撮影者が白黒やセピアの場合であっても彩度を変更して撮影し、彩度が異なる写真撮影ができると思ってしまうという問題があった。このような場合、同じ写真にも係わらず、複数枚同じ写真を撮影してメモリカードに書き込んでしまい、無駄な撮影をすることになるという問題があった。
【０００４】
本発明の目的は、カラーモードとしてカラー、白黒などを選択できる手段および彩度の選択をできる手段を有するディジタルカメラにおいて、撮影者に対して操作のより判り易いカメラを提供し、また、無駄な撮影を防止できるディジタルカメラを提供することにある。
【０００５】
【課題を解決するための手段】
前記目的を達成するために、本発明のうち請求項１記載の発明は、カラーモードとしてカラーの他に白黒またはセピアを選択できるカラーモード選択手段及び彩度の設定を選択できる彩度設定手段とを有するディジタルカメラにおいて、  撮影時に前記カラーモード選択手段で白黒またはセピアが選択された場合には、前記彩度設定手段による彩度の設定を選択不能と表示する表示手段を有することを特徴とするディジタルカメラを提供する。
【０００６】
また、請求項２記載の発明は、彩度の設定を選択不能と表示する場合、前記表示手段はモニタ画面に前記彩度の設定を表示するアイコンの表示形態を変えて表示することを特徴とする。
【０００７】
また、請求項３記載の発明は、カラーモードとしてカラーの他に白黒またはセピアを選択できるカラーモード選択手段及び彩度の設定を選択できる彩度設定手段とを有するディジタルカメラにおいて、撮影時に前記彩度設定手段により彩度の設定を変更する状態に選択されていても、前記カラーモード選択手段で白黒またはセピアが選択された場合には、彩度の変更をしない標準状態に戻す制御手段を有することを特徴とするディジタルカメラを提供する。
【０００８】
上記構成によれば、カラーモードを白黒またはセピアに設定した時は彩度の設定が選択不能の表示をするため、または彩度の変更をしない（標準状態）ため、無駄な撮影を生じさせることが無い。また、撮影者に対して違う絵が撮影されるような誤解を与えることも無く、より判り易い操作系を有するディジタルカメラを提供できる。
【０００９】
【発明の実施の形態】
以下、図面を参照して本発明の実施の形態を詳しく説明する。
図１は、本発明によるディジタルカメラの実施の形態を示す外観図で、（ａ）は平面図，（ｂ）は背面図である。
【００１０】
ディジタルカメラ１の上面にはメインスイッチ１１およびレリーズボタン１０が配置されている。背面中央には決定ボタン５，決定ボタン周囲にセレクトボタン４が配置されている。また、背面左側には液晶表示部６が設けられ、背面上部には撮影モード，再生モード，セットアップモードを切り替えるモード切替レバー２，その右側にはズームボタン９が配置されている。背面の下部にはディスプレイを表示したり、消したりするディスプレイボタン７および液晶表示部６にメニューを表示させるメニューボタン３が設置されている。ここで、本発明におけるカラーモード選択および彩度の設定は、撮影モードにおいてメニュー画面から選択することとなる。ここで、ディジタルカメラは、カラーモードとしてカラーの他に白黒またはセピアを選択できるカラーモード選択手段及び彩度の設定を＋、０、−などと選択できる彩度設定手段とをそれぞれ独立に有する。なお０の状態が標準状態である。
【００１１】
図２は、本発明によるディジタルカメラの実施の形態を示すブロック図である。被写体からの反射光は、レンズ１５を介してＣＣＤ１６上に結像され、光電変換される。光電変換された信号は、アナログ処理回路１８で増幅された後、Ａ／Ｄ変換され画像信号処理部２７に送られる。ここで、Ｙ／Ｃ信号処理時に彩度の設定に応じて信号処理される。画像信号処理部２７は、撮影した信号を一時的にメモリ部１９に蓄積し、該蓄積した画像を読み出して所定の画像形式に変換処理した後、カードインタフェース２１を介してメモリカード２２に保存する。また、画像信号処理部２７では取り込んだ画像が表示可能なように処理され、処理された画像はモニタドライバ２３を介してＬＣＤモニタ６に表示される。
【００１２】
システムコントローラ２５は、キー入力部２８からのキー入力信号を監視しており、モード切替レバー２，メニューボタン３，セレクトボタン４，決定ボタン５からの信号を検知し、キー入力信号に対応した制御を行う。システムコントローラ２５は、カメラ全体の制御を司り、撮影，再生に関する制御を行う。彩度設定選択不能表示処理を行う彩度設定選択不能表示制御部２５ａおよび彩度変更無効処理を行う彩度変更無効処理制御部２５ｂの機能はシステムコントローラ２５によって実現される。
【００１３】
図３は、カラーモードを白黒に設定する場合の液晶モニタの表示例を示す図である。
メインスイッチ１１をＯＮしたとき、モード切替レバー２が撮影モードになっていれば、システムコントローラ２５は、画像信号処理部２７に信号を送出しモニタドライバ２３を介してＬＣＤモニタ６に撮影モードのメニュー画面を表示させる。撮影モードになっていない場合にはモード切替レバー２を切り替えることとなる。
【００１４】
メニュー画面の一例を図３（ａ）に示す。セレクトボタン４ｂ，４ｄを操作することによってカラーモード，彩度，サイズ，露出補正のいずれかを選択することができる。さらにセレクトボタン４ａ，４ｃによりカラー，白黒，セピアのいずれかを選択することができる。この例ではカラーモードについて白黒が選択された状態である。決定ボタン５が押されるとそのモードが確定する。
【００１５】
システムコントローラ２５の彩度設定選択不能表示制御部２５ａは、ユーザが彩度の選択位置にカーソルを移動させた場合、白黒確定に基づき彩度の選択が不能と表示するように制御する。これにより白黒で撮影する場合、彩度の設定選択不能であることを表示する。図３（ｂ）に彩度の設定が選択不能である状態を示す。セピアを選択された場合にも同様に彩度の設定が選択不能であることを表示する。ここで、彩度の設定ができないことが撮影者に分かるように、モニタ上のメニュー画面の彩度３３のアイコンの色を変えて表示する。ここで、アイコンは形を変えたり、×印や禁止などの文字または組み合わせで表示しても良い。
【００１６】
図５（ａ）に、このように操作する場合のフローチャートを示す。カラーモード設定完了後、カラーモードが白黒又はセピアに選択されたか否か判断する（Ｓ５０１）。カラーモードが白黒又はセピアに選択された場合には、彩度設定選択不能表示処理される（Ｓ５０２）。カラーモードが白黒又はセピアに選択されていない場合には彩度設定選択不能表示処理はされない。
【００１７】
次に、図４は、他の実施の形態を示し、彩度を設定する場合の液晶モニタの他の表示例を示す図である。
メインスイッチ１１をＯＮしたとき、モード切替レバー２が撮影モードになっていれば、システムコントローラ２５は、画像信号処理部２７に信号を送出しモニタドライバ２３を介してＬＣＤモニタ６に撮影モードのメニュー画面を表示させる。
【００１８】
メニュー画面の一例を図４（ａ）に示す。この例はセレクトボタンによって彩度設定の［＋］が選択されている状態である。
決定ボタン５が押され、確定すると、システムコントローラ２５の彩度変更無効処理制御部２５ｂは、彩度設定の確定に基づき、カーソルをカラーモードを選択位置に移動し、白黒およびセピアに選択された場合、それまでの＋に設定していた彩度設定を無効とし、彩度設定は彩度０の標準状態とするように制御する。図４（ｂ）に彩度設定が標準状態となったばあいの表示状態を示す。
【００１９】
また、図５（ｂ）に対応した彩度設定のフローチャートを示す。彩度設定完了後、カラーモードが白黒又はセピアに選択されたか否か判断する（Ｓ６０１）。カラーモードが白黒又はセピアに選択された場合には、彩度変更無効処理（標準状態に設定）される（Ｓ６０２）。カラーモードが白黒又はセピアに選択されていない場合には彩度変更無効処理はされない。
【００２０】
【発明の効果】
以上、説明したように本発明は、カラーモードとして白黒またはセピアが選択でき、また、彩度設定を行っても白黒の時は輝度（Ｙ）信号のみで色データは無く、セピアの時は色データは固定であり変化しないため、彩度設定は意味が無く彩度の設定を禁止するものである。
【００２１】
また、同様に予め彩度が設定されていた場合でも、カラーモードが白黒・セピアの選択に変更した場合でも、彩度の設定は意味を持たないため、彩度設定を無効として標準状態に設定するものである。これにより、従来問題となっていた白黒、セピアの設定時に彩度を変更しても撮影される絵に変化が無く、ユーザーにとって判りずらい操作となっていたのが解消され、また同一の絵を撮影するという無駄な撮影をしなくてすむという効果がある。
【図面の簡単な説明】
【図１】本発明によるディジタルカメラの実施の形態を示す外観図で、（ａ）は平面図、（ｂ）は背面図である。
【図２】本発明によるディジタルカメラの回路の実施の形態を示すブロック図である。
【図３】カラーモードを白黒に設定する場合の液晶モニタの表示例を示す図である。
【図４】彩度設定を［＋］に設定する場合の液晶モニタの表示例を示す図である。
【図５】カラーモード選択および彩度の設定の動作を説明するためのフローチャートである。
【符号の説明】
１  ディジタルカメラ
２  モード切替レバー
３  メニューボタン
４  セレクトボタン
５  決定ボタン
６  液晶表示部（ＬＣＤモニタ）
７  ディスプレイボタン
８  接眼部
９  ズームボタン
１０  レリーズボタン
１１  メインスイッチ
１２  フラッシュユニット
１５  レンズ
１６  ＣＣＤ
１７  ＣＣＤ駆動回路
１８  アナログ処理回路
１９  メモリ部
２０  外部インタフェース
２１  カードインタフェース
２２  メモリカード
２３  モニタドライバ
２５  システムコントローラ
２５ａ  彩度設定選択不能表示処理制御部
２５ｂ  彩度変更無効処理制御部
２６  測光・調光部
２７  画像信号処理部
２８  キー入力部
２９  外部ＬＥＤ表示部
３０  電源部
【図１】
2004165802.tif 000003
【図２】
2004165802.tif 000004
【図３】
2004165802.tif 000005
【図４】
2004165802.tif 000006
【図５】
2004165802.tif 000007